(57)【要約】【課題】  複数の家電機器が持っている各種の機能を一箇所から遠隔操作ができるリモコンシステムを提供する。【解決手段】  複数の家電機器に対してそれぞれ用意された複数の操作用カード７１〜７４と、複数のカード挿入口１１ａ〜１１ｄ及びタッチパネル式表示部１６を有する共通コントローラ１０とを備え、複数の操作用カード７１〜７４は、それぞれ家電機器の操作に必要な操作データが格納されたメモリＭを有し、共通コントローラ１０は、カード挿入口１１ａに操作用カード７１が挿入されたとき、その操作用カード７１のメモリＭの操作データに基づいてタッチパネル式表示部１６に操作画面を表示し、操作画面の選択操作に基づいて操作対象の家電機器を遠隔操作する制御部１４を有している。【選択図】        図１
2006060665.tif 000002
【特許請求の範囲】
【請求項１】
複数の家電機器と、
前記複数の家電機器に対してそれぞれ用意された複数の操作用カードと、
複数のカード挿入口及び表示手段を有する共通コントローラとを備え、
前記複数の操作用カードは、それぞれ家電機器の操作に必要な操作データが格納されたメモリを有し、
前記共通コントローラは、前記カード挿入口に前記操作用カードが挿入されたとき、その操作用カードのメモリの操作データに基づいて前記表示手段に操作画面を表示する第１制御手段と、操作画面の選択操作に基づいて操作対象の家電機器を遠隔操作する第２制御手段とを有することを特徴とする家電機器のリモコンシステム。
【請求項２】
前記共通コントローラは、複数のカード挿入口に対応してそれぞれ選択スイッチが設けられ、
前記第１制御手段は、前記選択スイッチが選択操作されたとき、その選択スイッチに対応するカード挿入口に挿入された操作用カードのメモリの操作データに基づいて前記表示手段に操作画面を表示することを特徴とする請求項１記載の家電機器のリモコンシステム。
【請求項３】
前記共通コントローラは、複数のカード挿入口にそれぞれ対応して設けられ、操作用カードの挿入を検知するカード検知手段と、該カード検知手段を通じて操作用カードの挿入を検知したとき、前記表示手段に選択スイッチを表示する第３制御手段とを有し、
前記第１制御手段は、前記表示手段上の選択スイッチが選択操作されたとき、その選択スイッチに対応するカード挿入口に挿入された操作用カードのメモリの操作データに基づいて前記表示手段に操作画面を表示することを特徴とする請求項１記載の家電機器のリモコンシステム。
【請求項４】
前記操作用カードに発光手段が設けられ、
前記第１制御手段は、選択スイッチが選択操作されたとき、その選択スイッチに対応するカード挿入口に挿入された操作用カードの発光手段を発光させることを特徴とする請求項２又は３記載の家電機器のリモコンシステム。
【請求項５】
前記共通コントローラは、充電回路と、家電機器である電磁調理器の電磁誘導加熱コイルからの磁界に基づいて電流を生成し前記充電回路に充電する受電用コイルとを備えていることを特徴とする請求項１乃至４の何れかに記載の家電機器のリモコンシステム。
【請求項６】
前記共通コントローラは、前記表示手段に表示された操作画面から調理メニューが選択操作され、かつ、その調理メニューに対する仕上がり時間が設定されたとき、選択操作された調理メニューから調理時間を算出すると共に、前記仕上がり時間及び調理時間を基に調理開始時間を算出する調理開始時間設定手段と、報知手段とを備え、
前記第２制御手段は、調理開始時間に達したとき、先の選択操作に基づいて操作対象の家電機器を遠隔操作し、調理開始時間から仕上がり時間に達したときに前記報知手段を通じて調理終了を知らせることを特徴とする請求項１乃至５の何れかに記載の家電機器のリモコンシステム。
【請求項７】
前記複数の家電機器は、機器本体に設けられたカード挿入口と、操作用カードの挿入を検知するカード検知手段と、該カード検知手段を通じて操作用カードの挿入を検知したときに、機器本体に設けられた操作部による操作を有効にする操作有効判別手段とを有することを特徴とする請求項１乃至６の何れかに記載の家電機器のリモコンシステム。
【発明の詳細な説明】
【技術分野】
【０００１】
本発明は、複数の家電機器を一箇所から遠隔操作する家電機器のリモコンシステムに関するものである。
【背景技術】
【０００２】
従来、相互に動作状態のデータを通信可能とした複数の家電機器が他の家電機器の動作状態を表示させることが可能であったり、ユーザが設定することで複数のリモートコントロール機能を有する家電機器を制御可能なコントローラを有する制御システムがあった（例えば、特許文献１参照）。
【特許文献１】特開２００３−２５０１８６（第９頁−第１５頁、）
【発明の開示】
【発明が解決しようとする課題】
【０００３】
しかしながら、複数の家電機器は相互に動作状態を確認するだけで操作まで行うようになっておらず、操作を行うためには、コントローラにその動作状態を記憶させなければならないという煩わしさが伴っていた。
本発明は、かかる課題を解決するためになされたもので、複数の家電機器が持っている各種の機能を一箇所から遠隔操作ができるリモコンシステムを提供することを目的とする。
【課題を解決するための手段】
【０００４】
本発明に係る家電機器のリモコンシステムは、複数の家電機器と、複数の家電機器に対してそれぞれ用意された複数の操作用カードと、複数のカード挿入口及び表示手段を有する共通コントローラとを備え、複数の操作用カードは、それぞれ家電機器の操作に必要な操作データが格納されたメモリを有し、共通コントローラは、カード挿入口に操作用カードが挿入されたとき、その操作用カードのメモリの操作データに基づいて表示手段に操作画面を表示する第１制御手段と、操作画面の選択操作に基づいて操作対象の家電機器を遠隔操作する第２制御手段とを有する。
【発明の効果】
【０００５】
本発明においては、共通コントローラのカード挿入口に家電機器の操作用カードが挿入されると、共通コントローラの第１制御手段がその操作用カードのメモリに格納された操作データに基づいて表示手段に操作画面を表示し、操作画面が選択操作されると、第２制御手段がその操作に基づいて操作対象の家電機器を遠隔操作するようにしたので、複数の家電機器を集中して操作を行うことができ、使い勝手が良いという効果がある。
【発明を実施するための最良の形態】
【０００６】
実施の形態１．
図１は本発明の実施の形態１を示す家電機器のリモコンシステムの構成図、図２は実施の形態１における共通コントローラのブロック構成図、図３は複数の家電機器をひとまとめにして示す概略ブロック構成図、図４は共通コントローラを前方側斜視図、図５は共通コントローラを後方側斜視図、図６はビルトイン型の家電機器を示す斜視図である。
実施の形態１におけるリモコンシステムは、図１に示すように、共通コントローラ１０と、グリル付き電磁調理器２０、この電磁調理器２０の下方に組み込まれるオーブンレンジ３０、食器洗浄機４０、炊飯器５０などの家電機器と、これら家電機器と共通コントローラ１０とを接続するための例えば専用通信ケーブル６０と、家電機器毎にそれぞれ用意された複数の操作用カード７１〜７４とで構成されている。
【０００７】
前述した操作用カード７１〜７４は、例えば図２に示すように、カード本体の角部に取り付けられた発光ダイオード７１ａ〜７４ａと、カード本体の一端側に組み込まれたオスコネクタ７１ｂ〜７４ｂと、メモリＭとを備えている。操作用カード７１のメモリＭには、電磁調理器２０に設定されたアドレス及び電磁調理器２０（グリルも含む）の操作に必要な各種スイッチなどの操作データが格納されており、操作用カード７２のメモリＭには、オーブンレンジ３０に設定されたアドレス及びオーブンレンジ３０の操作に必要な各種スイッチなどの操作データが格納されている。また、操作用カード７３のメモリＭには、食器洗浄機４０に設定されたアドレス及び食器洗浄機４０の操作に必要な各種スイッチなどの操作データが格納されており、操作用カード７４のメモリＭには、炊飯器５０に設定されたアドレス及び炊飯器５０の操作に必要な各種スイッチなどの操作データが格納されている。これら操作用カード７１〜７４は、工場出荷時に操作対象の家電機器と共に梱包されたものである。
【０００８】
共通コントローラ１０は、複数のカード挿入口１１ａ〜１１ｄと、これらカード挿入口１１ａ〜１１ｄにそれぞれ設けられたメスコネクタ１２ａ〜１２ｄと、それぞれのカード挿入口１１ａ〜１１ｄに対応して設けられた複数の選択スイッチ１３ａ〜１３ｄと、制御部１４と、前述したアドレス及び操作データを格納するためのメモリ１５と、タッチパネル式表示部１６と、制御部１４からの操作信号をパルス変調して専用通信ケーブル６０上に配信する送信部１７と、例えばタイマ設定による調理仕上がりを知らせる報知手段のブザー１８とを備えている。
【０００９】
この共通コントローラ１０は、図４に示すように、前面側に複数の選択スイッチ１３ａ〜１３ｄとタッチパネル式表示部１６とが設けられ、一方の側面にはブザー１８が取り付けられ、裏面側には、図５に示すように、複数のカード挿入口１１ａ〜１１ｄが配列されている。この複数のカード挿入口１１ａ〜１１ｄには、何れの操作用カード７１〜７４を挿入してもよく、限定されるものではない。
【００１０】
共通コントローラ１０の制御部１４は、第１制御手段、第２制御手段及び調理開始時間設定手段を有する例えばマイコンからなり、複数の選択スイッチ１３ａ〜１３ｄのうち例えば選択スイッチ１３ｂがオンされると、そのスイッチ１３ｂに対応付けられたカード挿入口１１ｂに挿入されている例えば操作用カード７４にアクセスし、そのメモリＭに格納されているアドレス及び操作データを読み出してメモリ１５に格納する。そして、そのデータに基づいて操作画面をタッチパネル式表示部１６に表示すると共に、操作データを読み出した操作用カード７４の発光ダイオード７４ａを点灯して、その操作用カード７４による操作有効の旨を使用者に知らせる。
【００１１】
この場合、操作対象が炊飯器５０で、炊飯器本体に設けられている操作部と同じ例えば「炊飯」、「保温」、「予約」などの各種スイッチを画像化した操作画面をタッチパネル式表示部１６に表示する。例えば「炊飯」スイッチがタッチされた場合、その選択操作に基づく操作信号を炊飯器５０のアドレスと共に送信部１７を通じて専用通信ケーブル６０上に配信し、炊飯器５０に受信させる。また、選択スイッチ１３ｂのオンに応じてアクセスした際に、カード挿入口１１ｂのメスコネクタ１２ｂに操作用カード７４のオスコネクタ７４ｂが接続されていなかったときは、タッチパネル式表示部１６に「エラー」表示を行うようになっている。
【００１２】
前述した電磁調理器２０、オーブンレンジ３０、食器洗浄機４０及び炊飯器５０は、図３に示すように、各種スイッチが配列された操作部、マイコンを備えた制御回路、液晶表示部、負荷回路などを備えている。電磁調理器２０における負荷回路は、例えば図６に示すように、トッププレートの裏面側に配置された２つの電磁誘導加熱コイル及び同プレートの裏面側に設置された加熱ヒータと、グリル本体内に配置された上下の加熱ヒータとを有し、制御回路からの制御に基づいて前記の負荷に通電する回路である。オーブンレンジ３０における負荷回路は、同図に示すように、本体内に配置された上下の加熱ヒータを有し、制御回路からの制御に基づいて各加熱ヒータに通電する回路である。また、食器洗浄機４０における負荷回路は、ポンプ及び乾燥用ヒータを有し、制御回路からの制御に基づいてポンプを駆動し、乾燥用ヒータに通電する回路である。さらに、炊飯器５０における負荷回路は、例えば炊飯用ヒータを有し、制御回路からの制御に基づいて炊飯用ヒータに通電する回路である。
【００１３】
また、前記の家電機器２０，３０，４０，５０は、カード挿入口２１，３１，４１，５１と、それぞれのカード挿入口２１，３１，４１，５１に設けられたメスコネクタ２２，３２，４２，５２と、操作用カード７１〜７４の挿入を検知するカード検知手段のマイクロスイッチ２３，３３，４３，５３と、共通コントローラ１０からの操作信号を復調して受信する受信部２４，３４，４４，５４とを備えている。各家電機器２０，３０，４０，５０の制御回路のマイコンは、操作有効判別手段を有し、それぞれのマイクロスイッチ２３，３３，４３，５３のオンを検知すると、カード挿入口２１，３１，４１，５１に操作用カード７１〜７４が挿入されたと判断して、それぞれ操作用カード７１〜７４にアクセスし、メモリＭに格納されているアドレスを読み出して、予め登録されている自己のアドレスと照合し、双方のアドレスが一致していないときは、それぞれ操作部からの信号を無効にし、双方のアドレスが一致したときは、それぞれ操作部からの信号に基づいて制御する。
【００１４】
前記のように構成された実施の形態１のリモコンシステムにおいては、例えば、図４及び図５に示すように、共通コントローラ１０のカード挿入口１１ａ、１１ｂに電磁調理器２０及びオーブンレンジ３０の操作用カード７１、７２をそれぞれ挿入した後に、選択スイッチ１３ａをオンにすると、その選択スイッチ１３ａに対応付けられたカード挿入口１１ａに挿入されている操作用カード７１にアクセスし、そのメモリＭに格納されているアドレス及び操作データを読み出してメモリ１５に格納し、そして、その操作データに基づいて操作画面をタッチパネル式表示部１６に表示すると共に、操作データを読み出した操作用カード７１の発光ダイオード７１ａを点灯して、その操作用カード７１による操作有効の旨を使用者に知らせる。この時、タッチパネル式表示部１６の表示領域１６ａに、電磁調理器２０の上面操作部と同じ各種のスイッチの画像を表示し、表示領域１６ｂに、同調理器２０の前面操作部と同じ各種のスイッチの画像を表示する。なお、表示領域１６ａの中央部に表示されている複数のスイッチの画像はグリル操作用のスイッチである。
【００１５】
ここで、例えば、右側の複数のスイッチのうち予約調理スイッチＡをタッチすると、制御部１４は、その選択操作に基づいて例えば「みそ汁」、「お湯」などの調理メニューをタッチパネル式表示部１６に表示する。「みそ汁」がタッチされたときは「二人分」、「三人分」などのみそ汁の量を表示し、「三人分」がタッチされた後に、タイマスイッチＢタッチ操作により例えば「０６：００」の仕上がり時間が入力されると、制御部１４は、三人分のみそ汁の調理時間を算出し、先に入力された仕上がり時間からその調理時間を減算して調理開始時間を設定し、この時間に達するまで待機する。そして、調理開始時間に達したときは、先に設定された右側の電磁誘導加熱コイルに通電させる操作信号をメモリ１５に格納したアドレスと共に送信部１７から専用通信ケーブル６０上に配信し、先に算出した調理時間の例えばカウントダウンに入る。
【００１６】
一方、専用通信ケーブル６０に接続されている家電機器２０，３０，４０，５０の制御回路は、共通コントローラ１０からの操作信号をそれぞれの受信部２４，３４，４４，５４を通じて受信し、添付されたアドレスと自己のアドレスとを照合する。この場合は、電磁調理器２０が操作対象であるため、その制御回路が自己への操作信号と判断して、操作信号に基づく通電処理に入る。つまり、負荷回路を通じて右側の電磁誘導加熱コイルに通電し、トッププレート上の鍋を電磁誘導による渦電流で加熱し、その状態を右表示部に表示する。
【００１７】
この時、共通コントローラ１０の制御部１４は、カウントダウンしている調理時間が「０」になったかどうかを判定しており、カウントダウンにより調理時間が「０」になったときは、操作停止信号を電磁調理器２０に送信して右側の電磁誘導加熱コイルによる調理を停止させると共に、ブザー１８を鳴動して予約調理の終了を知らせる。また、電磁調理器２０の操作画面を表示している状態において、右側の電磁誘導加熱コイルに通電させるスイッチＣをタッチすると、制御部１４は、その選択操作に基づいて操作信号（アドレス含む）を送信部１７から専用通信ケーブル６を介して電磁調理器２０に受信させ、右側の電磁誘導加熱コイルへの通電処理を実行させる。そして、再びスイッチＣがタッチされたときは、制御部１４は、調理終了と判断してその旨を知らせる操作停止信号を電磁調理器２０に送信する。
【００１８】
また、この状態において、例えば図４に示すように選択スイッチ１３ｂをオンすると、制御部１４は、選択スイッチ１３ｂに対応付けられたカード挿入口１１ｂに挿入されている操作用カード７２にアクセスし、そのメモリＭに格納されているアドレス及び操作データを読み出してメモリ１５に格納すると共に、先に格納した電磁調理器２０の操作データを消去する。そして、メモリ１５に格納した操作データに基づいてタッチパネル式表示部１６にオーブンレンジ３０の操作画面を表示すると共に、操作データを読み出した操作用カード７２の発光ダイオード７１ａを点灯して、その操作用カード７２による操作有効の旨を使用者に知らせる。この時、電磁調理器２０の操作用カード７１の発光ダイオード７１ａの点灯を消灯する。タッチパネル式表示部１６に表示された操作画面は、図６に示すオーブンレンジ３０の操作部に設けられた各種のスイッチが画像化されたものであり、その後は、タッチパネル式表示部１６に表示された各種のスイッチの選択操作に基づいてオーブンレンジ３０を遠隔操作する。食器洗浄機４０や炊飯器５０を共通コントローラ１０で遠隔操作する場合も、前述した手順でタッチパネル式表示部１６に食器洗浄機４０の操作画面、炊飯器５０の操作画面をそれぞれ表示してから、タッチパネル式表示部１６上のスイッチを選択操作することにより可能になる。
【００１９】
以上のように実施の形態１によれば、共通コントローラのカード挿入口に家電機器の操作用カードを挿入して、そのカード挿入口に対応付けられた選択スイッチをオンすると、共通コントローラのタッチパネル式表示部に操作対象の家電機器の操作画面を表示し、操作画面が選択操作されたときはその操作に基づいて家電機器を遠隔操作するようにしたので、複数の家電機器を容易に集中して操作を行うことができ、使い勝手が良く、また、選択スイッチをオン操作することで操作対象の家電機器を直感的に認識することができる。
【００２０】
また、選択スイッチをオンしたときに、その選択スイッチに対応付けられたカード挿入口内の操作用カードの発光ダイオードを点灯させるようにしているので、何れの家電機器を操作対象としているのが容易にわかり、このため、使用者にとっては視認性が良く、操作対象の家電機器を誤ることなく操作を行えるという効果がある。
【００２１】
また、予約調理に関しても簡単な操作手順で行うことができるので、使い勝手が良いという効果がある。
【００２２】
また、各種の家電機器にカード挿入口を設け、このカード挿入口にそれぞれ操作用カードを挿入したときのみ操作可能にしたので、共通コントローラからの遠隔操作のみならず各家電機器においても操作ができ、このため、購入した家電機器に応じて幅広い操作環境を持つことが可能になり、使い勝手が良いという効果がある。
【００２３】
実施の形態２．
前述した実施の形態１では、共通コントローラによる家電機器の遠隔操作を専用通信ケーブルを介して行うようにしたが、本実施の形態では、電波を用いて遠隔操作できるようにしたものであり、以下、図を用いて説明する。
図７は本発明の実施の形態２を示す家電機器のリモコンシステムの構成図、図８は実施の形態１における共通コントローラのブロック構成図、図９は複数の家電機器をひとまとめにして示す概略ブロック構成図、図１０は共通コントローラを前方側斜視図、図１１は共通コントローラを後方側斜視図、図１２はビルトイン型の家電機器を示す斜視図である。なお、図１乃至図６で説明した実施の形態１と同一又は相当部分には同じ符号を付し説明を省略する。
【００２４】
実施の形態２におけるリモコンシステムは、図７に示すように、伝送路として空間を利用する無線６１を用いたもので、共通コントローラ１０と、グリル付き電磁調理器２０と、この電磁調理器２０の下方に組み込まれるオーブンレンジ３０と、食器洗浄機４０と、炊飯器５０とにそれぞれアンテナ１７ｂ，２４ｂ，３４ｂ，４４ｂ，５４ｂが設けられている。なお、複数の操作用カード７１〜７４は、実施の形態１と同じものである。
【００２５】
前記の共通コントローラ１０は、図８に示すように、制御部１４からの操作信号を例えば振幅変調し、アンテナ１７ｂから電波６１で送信する無線送信部１７ａと、カード挿入口１１ａ〜１１ｄに操作用カード７１〜７４が挿入されたときにオンするカード検知手段のマイクロスイッチ１９ａ〜１９ｄと、電磁調理器２０の電磁誘導加熱コイルに発生する磁界に基づいて高周波電流を生成する受電用コイル１と、高周波電流を全波整流する整流回路２と、全波整流された電流を平滑化する平滑コンデンサ３と、平滑された直流電流を充電する２次電池４とを備えている。なお、整流回路２と、平滑コンデンサ３と、２次電池４とで充電回路が構成されている。
【００２６】
この共通コントローラ１０の制御部１４は、第１制御手段、第２制御手段及び第３制御手段、並びに調理開始時間設定手段を有する例えばマイコンからなり、マイクロスイッチ１９ａ〜１９ｄのオンを検知したとき、操作用カード７１〜７４が挿入されたと判断して、タッチパネル式表示部１６に「選択」スイッチを表示する。例えば、図１０に示すように、電磁調理器２０及びオーブンレンジ３０の操作用カード７１，７２をそれぞれカード挿入口１１ａ，１１ｂに挿入すると、タッチパネル式表示部１６に「選択」スイッチ１６ｃ，１６ｄを表示する。その後、何れかの「選択」スイッチ１６ｃ，１６ｄが選択操作されたときは、該当する操作用カード７１，７２のメモリＭからアドレス及び操作データを読み出してメモリ１５に格納する。そして、その操作データに基づいて操作画面をタッチパネル式表示部１６に表示し、操作データを読み出した例えば操作用カード７１の発光ダイオード７１ａを点灯して、その操作用カード７１による操作有効の旨を使用者に知らせる。その後は、タッチパネル式表示部１６に表示した操作画面の選択操作に基づいて操作信号を無線送信部１７ａを通じてアンテナ１７ｂから送信する。このアンテナ１７ｂは、図１０及び図１１に示すように本コントローラ１０の上部角部に一部が突出して設けられている。また、制御部１４は、２次電池４の充電電圧が予め設定された下限電圧まで低下したかどうかを監視しており、下限電圧まで低下したときは、充電を促すメッセージをタッチパネル式表示部１６に表示すると共に、ブザー１８を鳴動して使用者に知らせる。
【００２７】
前述した受電用コイル１は、図１１に示すように本コントローラ１０の支持部１０ａ内に設けられており、本コントローラ１０の２次電池４に充電する際には、図１２に示すように、支持部１０ａ内の受電用コイル１が電磁調理器２０の電磁誘導加熱コイルと直交するようにトッププレート上に載置して、その電磁誘導加熱コイルの操作スイッチにより通電を行う。この時、共通コントローラ１０の制御部１４は、２次電池４が満充電になったかどうかを監視しており、満充電を検知したときは、その旨をタッチパネル式表示部１６に表示すると共に、ブザー１８を鳴動して使用者に知らせる。なお、共通コントローラ１０に充電スイッチを設けて、充電の際に、そのスイッチをオンすることによって充電が行われるようにしてもよい。
【００２８】
電磁調理器２０、オーブンレンジ３０、食器洗浄機４０及び炊飯器５０は、図９に示すように、アンテナ２４ｂ，３４ｂ，４４ｂ，５４ｂを介して受信された共通コントローラ１０からの電波６１を復調して操作信号を抽出する無線受信部２４ａ，３４ａ，４４ａ，５４ａが設けられている。前記のアンテナのうち電磁調理器２０のアンテナ２４ｂは、図１２に示すように、前面操作部に設けられたカード挿入口２１の下方に一部が突出して設けられており、また、オーブンレンジ３０のアンテナ３４は、同図に示すように、操作部に設けられたカード挿入口３１の下方に一部が突出して設けられている。また、電磁調理器２０、オーブンレンジ３０、食器洗浄機４０及び炊飯器５０は、実施の形態１で述べたように、それぞれ操作用カード７１〜７４が挿入されていないときは、自己の操作部からの操作信号を無効にし、操作用カード７１〜７４が挿入挿入されたとき、即ち、それぞれのマイクロスイッチ２３，２４，４３，５３のオンを検知したときに、自己の操作部からの操作信号を取り込むようになっている。
【００２９】
前記のように構成された実施の形態２のリモコンシステムにおいては、例えば、図１０及び図１１に示すように、共通コントローラ１０のカード挿入口１１ａ、１１ｂに電磁調理器２０及びオーブンレンジ３０の操作用カード７１、７２をそれぞれ挿入すると、マイクロスイッチ１９ａ，１９ｂがオンする。この時、制御部１４は、操作用カード７１〜７４が挿入されたと判断して、タッチパネル式表示部１６に「選択」スイッチ１６ａ，１６ｂを表示する。ここで、「選択」スイッチ１６ａがタッチされると、制御部１４は、その選択操作に基づいてカード挿入口１１ａに挿入された電磁調理器２０の操作用カード７１のメモリＭからアドレス及び操作データを読み出してメモリ１５に格納し、その操作データに基づいて操作画面をタッチパネル式表示部１６に表示する（図４参照）。これ以降の動作については、操作信号の伝送方式が電波を用いてる点で異なるだけで、その他は基本的に実施の形態１と同じであるため割愛する。
【００３０】
また、共通コントローラ１０の制御部１４は、２次電池４の充電電圧が予め設定された下限電圧まで低下したかどうかを監視しており、下限電圧まで低下したときは、充電を促すメッセージをタッチパネル式表示部１６に表示すると共に、ブザー１８を鳴動して使用者に知らせる。この表示により、共通コントローラ１０の支持部１０ａに内蔵された受電用コイル１が電磁調理器２０の電磁誘導加熱コイルと直交するようにトッププレート上に載置して、その電磁誘導加熱コイルの操作スイッチにより通電を行うと、受電用コイル１が電磁誘導加熱コイルに発生する磁界に基づいて高周波電流を生成し、整流回路２が高周波電流を全波整流し、平滑コンデンサ３が全波整流された電流を平滑化して２次電池４に充電する。この時、制御部１４は、２次電池４が満充電になったかどうかを監視しており、満充電を検知したときは、その旨をタッチパネル式表示部１６に表示すると共に、ブザー１８を鳴動して使用者に知らせる。
【００３１】
以上のように実施の形態２によれば、共通コントローラのカード挿入口に家電機器の操作用カードを挿入すると、発光ダイオードの点灯に加えタッチパネル式表示部に「選択」スイッチを表示するので、使用者にとっては視認性がさらによくなり、使い勝手が良いという効果がある。
【００３２】
また、共通コントローラに受電用コイルを設け、電磁調理器の電磁誘導加熱コイルの磁界を利用して充電電流を得る受電用コイルを共通コントローラに設けたので、電力線を必要としない構成とすることができ、電池交換などの煩わしい作業を行う必要がなくなり、使い勝手が良いという効果がある。
【００３３】
なお、前述した実施の形態１では専用通信ケーブル６０を用いて操作信号を伝送するようにし、実施の形態２では電波６１を用いて伝送するようにしたことを述べたが、操作信号の伝送に、コンセントを通じての電力線搬送や、有線ＬＡＮ、無線ＬＡＮ、赤外線などの通信手段にて行うようにしてもよい。
【図面の簡単な説明】
【００３４】
【図１】本発明の実施の形態１を示す家電機器のリモコンシステムの構成図である。
【図２】実施の形態１における共通コントローラのブロック構成図である。
【図３】複数の家電機器をひとまとめにして示す概略ブロック構成図である。
【図４】共通コントローラを前方側斜視図である。
【図５】共通コントローラを後方側斜視図である。
【図６】ビルトイン型の家電機器を示す斜視図である。
【図７】本発明の実施の形態２を示す家電機器のリモコンシステムの構成図である。
【図８】実施の形態１における共通コントローラのブロック構成図である。
【図９】複数の家電機器をひとまとめにして示す概略ブロック構成図である。
【図１０】共通コントローラを前方側斜視図である。
【図１１】共通コントローラを後方側斜視図である。
【図１２】ビルトイン型の家電機器を示す斜視図である。
【符号の説明】
【００３５】
１０  共通コントローラ、１１ａ〜１１ｄ  カード挿入口、１２ａ〜１２ｄ  メスコネクタ、１３ａ〜１３ｄ  選択スイッチ、１４  制御部、１５  メモリ、１６  タッチパネル式表示部、１７  送信部、１７ａ  無線送信部、１７ｂ  アンテナ、１８  ブザー、２０  電磁調理器、３０  オーブンレンジ、４０  食器洗浄機、５０  炊飯器、２１，３１，４１，５１  カード挿入口、２２，３２，４２，５２  メスコネクタ、２３，３３，４３，５３  マイクロスイッチ、２４，３４，４４，５４  受信部、２４ａ，３４ａ，４４ａ，５４ａ  無線受信部、２４ｂ，３４ｂ，４４ｂ，５４ｂ  アンテナ、６０  専用通信ケーブル、６１  電波、７１〜７４  操作用カード、７１ａ〜７４ａ  発光ダイオード、７１ｂ〜７４ｂ  オスコネクタ。
【図１】
2006060665.tif 000003
【図２】
2006060665.tif 000004
【図３】
2006060665.tif 000005
【図４】
2006060665.tif 000006
【図５】
2006060665.tif 000007
【図６】
2006060665.tif 000008
【図７】
2006060665.tif 000009
【図８】
2006060665.tif 000010
【図９】
2006060665.tif 000011
【図１０】
2006060665.tif 000012
【図１１】
2006060665.tif 000013
【図１２】
2006060665.tif 000014